(57)【要約】【課題】情報の配信に伴う支払い代金を情報配信の前に利用者が支払うことで、情報配信の代金に関するトラブルを解消する情報提供システムを提供する。【解決手段】アクセス用ＩＤ情報が外部から目視できない状態で表示されている表示媒体と、所定の情報を提供するサーバと、通信端末と、からなり、前記通信端末には、前記アクセス用ＩＤ情報を入力する入力手段と、前記アクセス用ＩＤ情報をサーバに送信する手段と、サーバから情報を受信する手段と、サーバから受信した情報を表示する手段とを有し、サーバには、通信手段と、提供用情報データベースと、照合用ＩＤ情報データベースと、前記通信端末から受信したアクセス用ＩＤ情報と、前記照合用ＩＤ情報データベースに登録されている照合用ＩＤ情報とを照合する照合手段と、前記照合結果が一致した場合に、提供用情報データベースに登録されている情報を、通信端末に対して配信させる手段とを有する。【選択図】        図７
2004362377.tif 000002
【特許請求の範囲】
【請求項１】
アクセス用ＩＤ情報が外部から目視できない状態で表示されている媒体と、所定の情報を提供するサーバと、前記サーバと公衆回線網を介して通信可能に接続されている通信端末と、からなる情報提供システムであって、
前記通信端末には、前記アクセス用ＩＤ情報を入力する入力手段と、前記入力手段で入力されたアクセス用ＩＤ情報を前記サーバに送信する手段と、前記サーバから情報を受信する手段と、前記サーバから受信した情報を表示する手段と、を有し、
前記サーバには、前記通信端末と通信を行う通信手段と、利用者に提供するための情報が登録された提供用情報データベースと、前記アクセス用ＩＤ情報と照合するための照合用ＩＤ情報が予め登録された照合用ＩＤ情報データベースと、前記通信端末から受信したアクセス用ＩＤ情報と、前記照合用ＩＤ情報データベースに登録されている照合用ＩＤ情報とを照合する照合手段と、前記照合手段による照合結果が一致した場合に、前記提供用情報データベースに登録されている情報を、前記通信端末に対して配信させる手段と、
を備えることを特徴とする情報提供システム。
【請求項２】
前記サーバには、前記照合手段による照合結果が不一致となった場合に、前記アクセス用ＩＤ情報を送信した通信端末の電話番号を登録する手段を有していることを特徴とする請求項１記載の情報提供システム。
【発明の詳細な説明】
【０００１】
【発明の属する技術分野】
本発明は、通信端末を利用して、利用者が入手したい情報を通信回線を介して利用者に配信する情報提供システムに関する。
【０００２】
【従来の技術】
従来、インターネット等の通信回線を介して、サーバから利用者側の通信端末に対して有料で情報を配信する情報提供サービスが行われており、これらの情報提供サービスに関する技術も既に知られている。（参考文献１）
通常、これらの有料の情報提供サービスでは、情報を利用者側の通信端末に配信した後に、その配信料金を利用者側に対して支払い請求を行う場合が多い。
【０００３】
情報提供サービスの中には、情報配信料金が不明確であったり、分かり難かったりする場合も多く、利用者が予想したよりも高額の利用料金を請求されたために、利用者が情報配信会社に対して配信料金を支払えなかったり、また情報配信会社側が、不正に常識を超えた高額な配信料金の請求を利用者に対して行なうことで、料金支払いの関してトラブルが発生するなどの問題がある。
このようなことから、情報提供サービスを利用したい場合でも、請求金額に対する不透明感から利用者側が、情報提供サービスを気軽に利用しにくいという問題がある。
【０００４】
【特許文献１】
特開平８−３３１６５４号公報
【０００５】
【発明が解決しようとする課題】
本発明は、通信端末を利用して、利用者が入手したい情報を、通信回線を介して利用者に配信する情報提供システムにおいて、利用者が情報の配信を受ける前に、料金の支払いを行えるようにして、情報配信の代金に関するトラブルを解消できるようにした情報提供システムを提供する。
【０００６】
【課題を解決するための手段】
本発明の情報提供システムは、アクセス用ＩＤ情報が外部から目視できない状態で表示されている媒体と、所定の情報を提供するサーバと、前記サーバと公衆回線網を介して通信可能に接続されている通信端末と、からなる情報提供システムであって、前記通信端末には、前記アクセス用ＩＤ情報を入力する入力手段と、前記入力手段で入力されたアクセス用ＩＤ情報を前記サーバに送信する手段と、前記サーバから情報を受信する手段と、前記サーバから受信した情報を表示する手段と、を有し、前記サーバには、前記通信端末と通信を行う通信手段と、利用者に提供するための情報が登録された提供用情報データベースと、前記アクセス用ＩＤ情報と照合するための照合用ＩＤ情報が予め登録された照合用ＩＤ情報データベースと、前記通信端末から受信したアクセス用ＩＤ情報と、前記照合用ＩＤ情報データベースに登録されている照合用ＩＤ情報とを照合する照合手段と、前記照合手段による照合結果が一致した場合に、前記提供用情報データベースに登録されている情報を、前記通信端末に対して配信させる手段と、を備えることを特徴とする。
【０００７】
また、本発明の情報提供システムは、前記サーバには、前記照合手段による照合結果が不一致となった場合に、前記アクセス用ＩＤ情報を送信した通信端末の電話番号を登録する手段を有していることを特徴とする。
【０００８】
【発明の実施の形態】
以下、本発明の実施の形態を図面に基づいて詳細に説明する。
図１は、本発明の実施形態に係る情報提供システムに用いる表示媒体の平面図、図２は、本発明の実施形態に係る情報提供システムに用いる表示媒体の裏面図、図３は、図１のＡ−Ａ線断面図、図４は、図１のＢ−Ｂ線断面図、図５は、表示媒体の接着部分を説明する平面図、図６は、本発明の実施形態に係る情報提供システムに用いる表示媒体の一部をめくった状態を示す平面図、図７は、本発明の実施形態に係る情報提供システムの構成概要を説明する図、図８は、本発明の実施形態に係る情報提供システムのシステムブロック図、図９は、本発明の実施形態に係る情報提供システムの処理手順を説明するフローチャートである。
【０００９】
本発明の実施形態に係る情報提供システムに用いる表示媒体１について、図１乃至図６に基いて説明する。
この表示媒体１は、情報の配信を希望する利用者が購入するものであり、図１に示すように、表面側に配信サービスを行うタイトル名表示１０やその配信料金表示１１などが印刷され、また裏面側には、図２に示すように、この表示媒体１の開封方法表示９などが印刷されている。
また、表示媒体１は、図３乃至図５に示すように、略矩形状を有する第１シート２と、その下側に重合された第２シート３とからなり、重合された第１シート２と第２シート３とは、それらの中央領域において接着剤５ａを塗布しない非接着部４を設け、またそれらの周縁領域において接着剤５ａで接着させた接着部５を有している。
図５には、第２シート３の表面における非接着部４と接着部５の領域を示した図であり、第２シート３の周縁領域に所定幅からなる接着剤５ａを塗布させた接着部５を設けることで、周縁領域で接着状態にある２枚の重合されたシート積層体を形成している。
【００１０】
また、第１シート２には、中央領域の非接着部４において、コ字状の開封用ミシン目６が形成されている。
このコ字状の開封用ミシン目６の角部には、摘まんでめくり上げるのに便利なように、直角のミシン目を形成しためくり開始部７を設けることが好ましく、このめくり開始部７の角部を摘まんで第１シート２をめくり上げることで、コ字状の開封用ミシン目６から第１シート２を部分的に切り取ることができ、入場券１ａの１辺側を残して他の３辺に略平行にコ字状の切り取りが行えるようにしてある。
【００１１】
また、第１シート２の所定部分には、偽造防止を図るために、ホログラムシール８を貼付したりすることが好ましい。
図６に示すように、表示媒体１の第１シート２に形成されたコ字状の開封用ミシン目６を切り取り、第１シートの所定部分をめくり上げた際に露出する第２シート３の表面には、アクセス用ＩＤ番号２７と有効期限２８とが表示されている。
【００１２】
アクセス用ＩＤ番号７は、利用者がサーバから通信回線を介して所望の情報の配信を受ける際に必要なＩＤ番号であり、表示媒体１を有料で利用者に販売することで、自動的に利用者から情報配信料金を情報提供者側が徴収できるようにしてある。
したがって、情報提供者側は、利用者側から情報配信サービスに伴う料金を前払いで受取ることができ、利用料金が回収できないという問題が生じないようになっている。
【００１３】
次に、本発明の実施形態に係る情報提供システムの構成概要を、図７及び図８に基いて説明する。
情報提供を受ける利用者側の通信端末１２と、サービス情報の配信を行うサーバ１３とは、インターネットなどの通信回線１４を介して通信可能に接続されている。
そして、利用者がサーバ１３から所望の情報の配信を受ける際には、予め購入した表示媒体１を用意して、これに表示されているアクセス用ＩＤ番号２７を通信端末１４から入力出来るようにしておく。
【００１４】
図８に示すように、通信端末１２には、表示手段１５、入力手段１６、記憶手段１７、通信手段１８、制御手段１９などが備えられている。
また、サーバ１３には、利用者に配信するための提供用情報が登録された提供用情報データベース２０、利用者側の通信端末１２から受信したアクセス用ＩＤ番号２７と照合処理を行なうために予め照合用のＩＤ番号を登録させておく照合用ＩＤ情報データベース２１、利用者側の通信端末１２から受信したアクセス用ＩＤ番号２７と照合処理を行なう照合手段２２、記憶手段２３、照合手段２２での照合の結果、照合一致した場合に提供用情報データベース２０に登録されている提供用情報の配信処理を行う情報配信手段２４、通信手段２５、制御手段２６などを備えている。
【００１５】
次に、本発明の実施形態に係る情報提供システムの処理手順を、図９のフローチャートに基いて説明する。
まず、利用者は、通信端末１２からサーバ１３にアクセスし、表示媒体１を開封して内部に表示されているアクセス用ＩＤ情報を、通信端末１２の入力手段１６から入力してサーバ１３にアクセス用ＩＤ情報を送信する。（ステップＳ１）
【００１６】
次に、サーバ１３は、受信したアクセス用ＩＤ情報が、照合用ＩＤ情報データベース２１に登録されているか否かを照合手段２２により照合処理する。（ステップＳ２）
【００１７】
照合処理の結果、照合一致した場合には、提供用情報データベース２０に登録されている情報を通信端末１２に対して配信する。（ステップＳ３）
そして、通信端末１２の表示手段１５に受信した情報を表示させる。（ステップＳ４）
また、照合処理の結果、照合不一致した場合には、通信端末１２の電話番号を記憶手段２３に記憶させると共に、処理を中止する。（ステップＳ５）
以上の処理により、利用者に対して情報の配信を行う。
【００１８】
【発明の効果】
以上説明したように、本発明の情報提供システムは、利用者に対して情報の配信を行う前に、利用者に表示媒体を購入させ、この購入代金に情報提供料金を含めることで、情報提供者側が自動的に前払い方式で代金を受取ることが出来、情報配信の代金に関するトラブルを解消できるという効果がある。
【図面の簡単な説明】
【図１】本発明の実施形態に係る情報提供システムに用いる表示媒体の平面図である。
【図２】本発明の実施形態に係る情報提供システムに用いる表示媒体の裏面図である。
【図３】図１のＡ−Ａ線断面図である。
【図４】図１のＢ−Ｂ線断面図である。
【図５】表示媒体の接着部分を説明する平面図である。
【図６】本発明の実施形態に係る情報提供システムに用いる表示媒体の一部をめくった状態を示す平面図である。
【図７】本発明の実施形態に係る情報提供システムの構成概要を説明する図である。
【図８】本発明の実施形態に係る情報提供システムのシステムブロック図である。
【図９】本発明の実施形態に係る情報提供システムの処理手順を説明するフローチャートである。
【符号の説明】
１  表示媒体
２  第１シート
３  第２シート
４  非接着部
５  接着部
５ａ  接着剤
６  開封用ミシン目
７  めくり開始部
８  ホログラムシール
９  開封方法表示
１０  タイトル名表示
１１  配信料金表示
１２  通信端末
１３  サーバ
１４  通信回線
１５  表示手段
１６  入力手段
１７，２３  記憶手段
１８，２５  通信手段
１９，２６  制御手段
２０  提供用情報データベース
２１  照合用ＩＤ情報データベース
２２  照合手段
２４  情報配信手段
２７  アクセス用ＩＤ番号
２８  有効期限
【図１】
2004362377.tif 000003
【図２】
2004362377.tif 000004
【図３】
2004362377.tif 000005
【図４】
2004362377.tif 000006
【図５】
2004362377.tif 000007
【図６】
2004362377.tif 000008
【図７】
2004362377.tif 000009
【図８】
2004362377.tif 000010
【図９】
2004362377.tif 000011